(57)【要約】【課題】簡単な機構で不要な被曝を低減することができるＸ線画像診断装置を提供する。【解決手段】Ｘ線を発生するＸ線管２１と、被検体Ｐに対して照射するＸ線の照射範囲を設定する回動可能なＸ線絞り器２２と、Ｘ線絞り器２２の角度を検出する角度検出器２３と、Ｘ線絞り器２２を制御するＸ線絞り制御部２４と、被検体Ｐに対して照射され、被検体Ｐを透過したＸ線を検出するＸ線検出器３１とを備え、Ｘ線絞り制御部２４は、角度検出器２３からの角度の情報に基づいて、前記照射範囲をＸ線検出器３１でＸ線の検出が可能な範囲内に設定する。【選択図】図１
2010051727.tif 000002
【特許請求の範囲】
【請求項１】
Ｘ線を発生するＸ線発生手段、及びこのＸ線発生手段からのＸ線の照射により被検体を透過したＸ線を検出するＸ線検出手段を備えたＸ線画像診断装置において、
前記Ｘ線発生手段と前記被検体の間に配置され、前記被検体に対して照射するＸ線の照射範囲を設定するＸ線絞り手段と、
前記Ｘ線絞り手段又は前記Ｘ線検出手段の回動可能な一方の手段の他方の手段に対する角度を検出する角度検出手段とを備え、
前記Ｘ線絞り手段は、前記角度検出手段により検出された角度の情報に基づいて、前記照射範囲を前記Ｘ線検出手段によりＸ線の検出が可能な範囲内に設定することを特徴とするＸ線画像診断装置。
【請求項２】
前記Ｘ線絞り手段は、前記角度検出手段により検出された角度の情報に基づいて、前記照射範囲を前記Ｘ線検出手段によりＸ線の検出が可能な範囲の内の最大の範囲に設定することを特徴とする請求項１に記載のＸ線画像診断装置。
【請求項３】
前記Ｘ線絞り手段は、前記一方の手段を回動したときの前記照射範囲が前記Ｘ線検出手段でＸ線の検出が不可能な範囲を含んでいる場合、その照射範囲を縮小して前記Ｘ線検出手段によりＸ線の検出が可能な最大の範囲に設定することを特徴とする請求項１に記載のＸ線画像診断装置。
【請求項４】
前記Ｘ線絞り手段は、前記照射範囲を設定するための四方に配置された絞り羽根の内、一方向に移動可能に互いに対向して配置された絞り羽根の絞り込む方向又は開く方向の一方の方向への移動に応じて、他方向に移動可能に互いに対向して配置された絞り羽根を他方の方向へ移動して、前記照射範囲を前記Ｘ線検出手段によりＸ線の検出が可能な範囲の内の最大の範囲に設定することを特徴とする請求項１に記載のＸ線画像診断装置。
【請求項５】
前記Ｘ線の検出が可能な範囲は、この範囲の輪郭が長方形を成す平面により構成されていることを特徴とする請求項１乃至請求項４のいずれかに記載のＸ線画像診断装置。
【発明の詳細な説明】
【技術分野】
【０００１】
本発明は、Ｘ線画像診断装置に係り、特にＸ線の照射範囲を設定するＸ線絞り器を備えたＸ線画像診断装置に関する。
【背景技術】
【０００２】
Ｘ線画像診断装置は、Ｘ線を発生するＸ線管、このＸ線管から発生したＸ線の被検体に対して照射する照射範囲を制限するＸ線絞り器、Ｘ線絞り器から照射され、被検体を透過したＸ線を検出するＸ線検出器を備えている。そして、Ｘ線絞り器は、内蔵した絞り羽根を調整することによって被検体に照射するＸ線の照射範囲を所望の範囲に設定できるようになっている。
【０００３】
ところで、Ｘ線画像診断装置には、Ｘ線絞り器を回動する回動機構、Ｘ線検出器を回動する回動機構機、Ｘ線検出器の回動角度を検出する角度検出器を備えた装置が知られている（例えば、特許文献１参照。）。この装置によれば、Ｘ線検出器を回動したとき、Ｘ線検出器の回動に連動してＸ線絞り器を同方向へ同角度だけ回動させることにより、Ｘ線検出器でＸ線を検出できない不要な領域へのＸ線の照射を防いで、被検体への不要な被曝を低減することができる。
【特許文献１】特開２００５―３７２号公報
【発明の開示】
【発明が解決しようとする課題】
【０００４】
しかしながら、特許文献１のＸ線画像診断装置では、Ｘ線絞り器及びＸ線検出器を回動する２つの回動機構を必要とし、Ｘ線検出器に連動してＸ線絞り器を回動させる必要があるため、回動機構が複雑で大型化し、高価になってしまう問題がある。
【０００５】
本発明は、上記問題点を解決するためになされたもので、簡単な機構で不要な被曝を低減することができるＸ線画像診断装置を提供することを目的とする。
【課題を解決するための手段】
【０００６】
上記問題を解決するために、本発明のＸ線画像診断装置は、Ｘ線を発生するＸ線発生手段、及びこのＸ線発生手段からのＸ線の照射により被検体を透過したＸ線を検出するＸ線検出手段を備えたＸ線画像診断装置において、前記Ｘ線発生手段と前記被検体の間に配置され、前記被検体に対して照射するＸ線の照射範囲を設定するＸ線絞り手段と、前記Ｘ線絞り手段又は前記Ｘ線検出手段の回動可能な一方の手段の他方の手段に対する角度を検出する角度検出手段とを備え、前記Ｘ線絞り手段は、前記角度検出手段により検出された角度の情報に基づいて、前記照射範囲を前記Ｘ線検出手段によりＸ線の検出が可能な範囲内に設定することを特徴とする。
【発明の効果】
【０００７】
本発明によれば、Ｘ線絞り器又はＸ線検出器の一方を回動可能にして他方に対する一方の角度を検出する角度検出器を設け、角度検出器からの角度の情報に基づいて、被検体に対して照射するＸ線の照射範囲をＸ線検出器でＸ線の検出が可能な範囲内に設定することにより、回動機構を大型化することなく安価で簡単な機構にすることが可能となり、被検体Ｐに不要な被曝を低減することができる。
【発明を実施するための最良の形態】
【０００８】
以下、図面を参照して本発明の実施例を説明する。
【実施例】
【０００９】
以下、本発明のＸ線画像診断装置の実施例を、図１乃至図１０を参照して説明する。
【００１０】
図１は、本発明によるＸ線画像診断装置の実施例の構成を示したブロック図である。このＸ線画像診断装置１００は、天板１０上に載置された被検体Ｐに対してＸ線を照射するＸ線照射部２０と、Ｘ線照射部２０により照射され、被検体Ｐを透過したＸ線を検出してＸ線投影データを生成するＸ線検出部３０と、Ｘ線照射部２０におけるＸ線照射に必要な高電圧を発生する高電圧発生部４０とを備えている。
【００１１】
また、Ｘ線画像診断装置１００は、天板１０や、Ｘ線照射部２０及びＸ線検出部３０を保持するアーム１１等を移動する機構部５０と、Ｘ線検出部３０で生成されたＸ線投影データを処理して透視画像データ、撮影画像データ等の画像データの生成や、生成した画像データの保存を行なう画像処理部６０とを備えている。
【００１２】
更に、Ｘ線画像診断装置１００は、画像処理部６０で生成された画像データを表示する表示部７０と、被検体Ｐを識別する被検体情報、被検体Ｐに照射するＸ線の照射条件を含む撮影条件等の諸条件の入力操作、種々のコマンドの入力操作などの様々な操作を行う操作部８０と、上記の各ユニットを統括して制御するシステム制御部９０とを備えている。
【００１３】
Ｘ線照射部２０は、高電圧発生部４０からの高電圧の供給によりＸ線透視用やこのＸ線透視用よりも高エネルギーのＸ線撮影用のＸ線を発生するＸ線管２１と、Ｘ線管２１と被検体Ｐの間に回動可能に配置され、Ｘ線管２１から発せられたＸ線を制限して被検体Ｐに対して照射するＸ線の照射範囲を設定するＸ線絞り器２２と、Ｘ線検出部３０に対するＸ線絞り器２２の角度を検出する角度検出器２３と、Ｘ線絞り器２２を制御して前記照射範囲をＸ線検出部３０でＸ線の検出が可能な範囲内に設定する不要被曝回避の機能を有するＸ線絞り制御部２４とを備えている。
【００１４】
なお、不要被曝とは、被検体Ｐに対して照射されたＸ線の内、画像データの取得に不要であるＸ線検出器３１で検出不可能な範囲への照射により被検体Ｐが不要に被曝されることである。
【００１５】
Ｘ線検出部３０は、Ｘ線照射部２０からのＸ線の照射により、被検体Ｐを透過したＸ線を検出する検出範囲の輪郭が例えば長方形（第１の長方形）を成す平面を表面に有し、Ｘ線を検出して電気信号に変換するＸ線検出器３１と、このＸ線検出器３１からの信号を処理してＸ線投影データを生成する信号処理部３２とを備えている。
【００１６】
Ｘ線検出器３１は、例えば検出範囲の表面近傍に配置されたＸ線を電荷に変換する検出素子、検出素子に読み出し用の駆動パルスを供給するゲートドライバ、検出素子に蓄積された電荷を電圧に変換するアンプ、アンプから出力された信号を選択するマルチプレクサ、及びマルチプレクサからのアナログ信号をデジタル信号に変換するＡ／Ｄコンバータにより構成される。そして、Ａ／Ｄコンバータで変換したデジタル信号を信号処理部３２に出力する。
【００１７】
機構部５０は、天板１０の移動やアーム１１の移動及び回動を行う天板／アーム移動機構５１と、Ｘ線照射部２０におけるＸ線絞り器２２の回動を行うＸ線絞り回動機構５２と、天板／アーム移動機構５１及びＸ線絞り回動機構５２を制御する機構制御部５３とを備えている。
【００１８】
図２は、天板１０の移動方向、アーム１１の移動方向及び回動方向、及びＸ線絞り器２２の回動方向を示した図である。
【００１９】
天板／アーム移動機構５１は、天板１０を長手方向である矢印Ｌ１方向、幅方向である矢印Ｌ２方向、上下方向である矢印Ｌ３へ移動する。また、アーム１１を矢印Ｒ１方向に回動する。更にアーム１１をＬ１方向へ移動する。
【００２０】
Ｘ線絞り回動機構５２はＸ線絞り器２１を回動駆動するモータ等を有し、Ｘ線検出部３０におけるＸ線検出器３１のＸ線の検出が可能な検出範囲３１ａの中心及びＸ線照射部２０におけるＸ線管２１のＸ線発生源を通り、Ｘ線を被検体Ｐに対して照射したときの中心となる照射中心軸１２を回動軸として、Ｘ線絞り器２２を矢印Ｒ２及びＲ２方向とは反対方向である矢印Ｒ３方向へ回動する。
【００２１】
このように、Ｘ線検出器３１を回動する回動機構を設けることなく、Ｘ線絞り回動機構５２だけを設けることにより、回動機構を大型化することなく安価で簡単な機構にすることができる。
【００２２】
なお、Ｘ線絞り器２１を手動でのみ回動可能とする機構にすることにより、更に安価で簡単な機構にすることができる。
【００２３】
図１に示した画像処理部６０は、Ｘ線検出部３０の信号処理部３２でＸ線透視用やＸ線撮影用のＸ線の照射により生成されたＸ線投影データを処理して透視画像データや撮影画像データ等の画像データを生成し、生成した画像データを表示部７０に出力する。また、生成した画像データを保存する。
【００２４】
表示部７０は、液晶パネル或いはＣＲＴなどのモニタを備え、画像処理部６０で生成された透視画像データ、撮影画像データ等の画像データを表示する。
【００２５】
操作部８０は、キーボード、トラックボール、ジョイスティック、マウスなどの入力デバイスや表示パネル、更には、各種スイッチ等を備えたインターラクティブなインターフェイスであり、被検体情報や撮影条件の入力操作、天板１０の移動操作、アーム１１の回動操作、Ｘ線絞り器２２の回動操作、Ｘ線絞り器２２の照射範囲の設定操作、Ｘ線透視やＸ線撮影の操作等を行う。
【００２６】
システム制御部９０は、ＣＰＵと記憶回路を備え、操作部８０から供給される入力情報を一旦記憶した後、これらの入力情報に基づいて、Ｘ線照射部２０、Ｘ線検出部３０、高電圧発生部４０、機構部５０、及び画像処理部６０の各ユニットに関する制御などシステム全体の制御を行う。
【００２７】
次に、図１乃至図３を参照して、Ｘ線照射部２０におけるＸ線絞り器２２の構成の詳細、及び動作を説明する。
【００２８】
図３は、Ｘ線絞り器２２の構成の詳細を示した図である。このＸ線絞り器２２は、被検体Ｐに照射するＸ線の照射範囲を設定するための絞り羽根２２１乃至２２４と、２つの絞り羽根２２１，２２２を移動する羽根移動機構２２５と、２つの絞り羽根２２３，２２４を移動する羽根移動機構２２６とを備えている。
【００２９】
各絞り羽根２２１乃至２２４は、タングステンやモリブデン等のＸ線を吸収する素材から成り、Ｘ線検出部３０におけるＸ線検出器３１の表面に対して平行に、且つ照射中心軸１２を中心として四方に配置される。そして、各絞り羽根２２１乃至２２４の端面により、Ｘ線管２１で発生したＸ線を制限する長方形（第２の長方形）の照射口２２ａを形成する。この照射口２２ａにより被検体Ｐに照射するＸ線の照射範囲が設定される。
【００３０】
２つの絞り羽根２２１，２２２は照射中心軸１２の両側に一方向に移動可能に配置され、照射口２２ａの一方の両端を形成する各端面が互いに対向して平行に配置される。また、各絞り羽根２２１，２２２に対して垂直に配置される２つの絞り羽根２２３，２２４は、照射中心軸１２の両側に他方向に移動可能に配置され、照射口２２ａの他方の両端を形成する各端面が互いに対向して平行に配置される。
【００３１】
羽根移動機構２２５は、照射中心軸１２からの距離を同等に保持した各絞り羽根２２１，２２２を、一方向の照射中心軸１２に対して互いに近づく方向（照射口２２ａを絞る方向）である矢印Ｌ４方向及び遠ざかる方向（照射口２２ａを開く方向）である矢印Ｌ５方向に移動する。
【００３２】
羽根移動機構２２６は、照射中心軸１２からの距離を同等に保持した各絞り羽根２２３，２２４を、他方向の照射中心軸１２に対して互いに近づく方向（照射口２２ａを絞る方向）である矢印Ｌ６方向及び遠ざかる方向（照射口２２ａを開く方向）である矢印Ｌ７方向に移動する。
【００３３】
Ｘ線絞り制御部２４は、システム制御部９０から供給される予め設定されたＸ線管２１とＸ線検出器３１の間の距離Ｄ１、予め設定されたＸ線管２１とＸ線絞り器２２の間の距離Ｄ２、及び予め設定された検出範囲３１ａの縦の長さ及び横の長さの情報、並びに角度検出器２３から出力される角度の情報に基づいて、羽根移動機構２２５，２２６を制御する。
【００３４】
そして、被検体Ｐを透過してＸ線検出器３１の表面を含む面に入射するＸ線の入射範囲が検出範囲３１ａ内に入るように各絞り羽根２２１乃至２２４を移動させることにより、被検体Ｐに照射するＸ線の照射範囲をＸ線検出器３１でＸ線の検出が可能な範囲内に設定する。
【００３５】
なお、入射範囲の輪郭が長方形（第３の長方形）を成し、この第３の長方形は、図４に示すように、照射口２２ａの第２の長方形に相似している。
【００３６】
以下、図１乃至図１０を参照して、Ｘ線画像診断装置１００の動作の一例を説明する。図５は、Ｘ線画像診断装置１００の動作を示すフローチャートである。図６は、ホームポジションに位置するＸ線絞り器２２とＸ線管２１の間から見た各絞り羽根２２１乃至２２４、検出範囲３１ａ、及び入射範囲を示す図である。図７は、表示部７０の画面に表示された透視画像データの一例を示す図である。
【００３７】
また、図８は、ホームポジションから回動したＸ線絞り器２２とＸ線管２１の間から見た各絞り羽根２２１乃至２２４、検出範囲３１ａ、及び入射範囲を示す図である。図９は、不要被曝の領域を示す図である。図１０は、各絞り羽根２２３乃至２２４をＬ６方向に移動したときのＸ線絞り器２２とＸ線管２１の間から見た各絞り羽根２２１乃至２２４、検出範囲３１ａ、及び入射範囲を示す図である。
【００３８】
図５において、Ｘ線画像診断装置１００の操作者が、被検体Ｐの検査を行うために被検体情報や撮影条件を操作部８０から入力することにより、Ｘ線画像診断装置１００は検査を開始する（ステップＳ１）。
【００３９】
システム制御部９０は、操作部８０から供給される被検体Ｐの被検体情報や撮影条件等の入力情報を、内部の記憶回路に保存する。そして、天板１０上に載置された被検体Ｐの撮影部位を撮影位置に移動するため、操作部８０から天板１０の移動及びアーム１１の移動や回動を行う操作が行われると、機構部５０の天板／アーム移動機構５１は、機構制御部５３の制御により天板１０を移動し、アーム１１を移動及び回動する。
【００４０】
また、被検体Ｐの撮影部位の位置を確認するため、被検体Ｐに対して広範囲のＸ線透視が可能なように、操作部８０からＸ線絞り器２２の照射口２２ａを例えば全開にする全開操作が行われると、Ｘ線絞り制御部２４は、システム制御部９０から供給される距離Ｄ１及び距離Ｄ２、並びに角度検出器２３から出力される例えばホームポジションに位置するＸ線絞り器２２の角度の情報に基づいて、Ｘ線絞り器２２の各羽根移動機構２２５，２２６を制御する。
【００４１】
ここで、操作部８０からの全開操作により、不要被曝回避の機能が作用しないと、被検体Ｐに照射するＸ線の照射範囲がＸ線検出器３１で検出不可能な範囲を含んで不要被曝領域が生じるため、一次防護の規格を満たすことができない問題が生じる。この問題を避けるために、各絞り羽根２２１，２２２を全開の位置よりもＬ４方向に移動させると共に各絞り羽根２２３，２２４を全開の位置よりもＬ６方向に移動させて、被検体Ｐに対して照射するＸ線の照射範囲をＸ線検出器３１でＸ線の検出が可能な範囲内に設定する（ステップＳ２）。
【００４２】
このように、被検体Ｐに対して照射しようとするＸ線の照射範囲がＸ線検出器３１で検出不可能な範囲を含んでいる場合、角度検出器２３からの角度の情報に基づいて、その照射範囲をＸ線検出器３１でＸ線の検出が可能な範囲内に設定することができる。これにより、被検体Ｐへの不要な被曝を低減して一次防護の規格を満たすことができる。
【００４３】
図６は、ホームポジションに位置するＸ線絞り器２２とＸ線管２１の間から見た各絞り羽根２２１乃至２２４、検出範囲３１ａ、及び入射範囲を示した図である。この入射範囲２２ｂ１は検出範囲３１ａに一致し、各絞り羽根２２１乃至２２４により形成された照射口２２ａ１に相似している。
【００４４】
Ｘ線絞り制御部２４は、距離Ｄ１、距離Ｄ２、並びに検出範囲３１ａの縦の長さＬＥ及び横の長さＷに基づいて、検出範囲３１ａに一致する入射範囲２２ｂ１の縦の長さＬＥ及び横の長さＷから入射範囲２２ｂ１に相似する照射口２２ａ１の縦の長さＸ１及び横の長さＹ１を算出する。次いで、照射口２２ａ１が算出した縦の長さＸ１及び横の長さＹ１になるように各絞り羽根２２１乃至２２４を移動させる。そして、被検体Ｐに対して照射するＸ線の照射範囲をＸ線検出器３１でＸ線の検出が可能な範囲の内の最大の範囲に設定する。
【００４５】
次に、操作部８０から例えばＸ線透視の操作が行われると、システム制御部９０は内部記憶回路に保存した撮影条件に基づいて、高電圧発生部４０にＸ線透視用の電圧をＸ線管２１に供給させる。Ｘ線管２１は、Ｘ線絞り器２２を通過したＸ線を被検体Ｐの撮影部位である例えば片腕部に照射する。
【００４６】
Ｘ線検出部３０は、被検体Ｐを透過したＸ線透視用のＸ線を検出してＸ線投影データを生成し、生成したＸ線投影データを画像処理部６０に出力する。画像処理部６０は、Ｘ線検出部３０から出力されたＸ線投影データを処理して透視画像データを生成し、生成した透視画像データを表示部７０に出力する。表示部７０は、図７に示すように、画面７１に例えば被検体Ｐの片腕部のデータ７２ａを含む透視画像データ７２を表示する（図５のステップＳ３）。
【００４７】
このように、被検体Ｐに対するＸ線の照射範囲をＸ線検出器３１でＸ線の検出が可能な範囲の内の最大の範囲に設定することにより、被検体Ｐを広範囲に亘って観察することができる。
【００４８】
次に、被検体Ｐの片腕部以外のＸ線撮影に不要な部分へのＸ線の照射を回避するために、被検体Ｐの片腕部の長手方向における中心軸Ｐ１に対して各絞り羽根２２１乃至２２４の各端面が平行及び垂直になるまでＸ線絞り器２２をＲ２方向に回動する操作が操作部８０から行われると、機構部５０のＸ線絞り回動機構５２は、機構制御部５３の制御により、Ｘ線絞り器２２をホームポジションからＲ２方向に回動する（図５のステップＳ４）。
【００４９】
角度検出器２３は、検出したＸ線絞り器２２の角度の情報をＸ線絞り制御部２４に出力する。Ｘ線絞り制御部２４は、角度検出器２３から出力される角度の情報に基づいて、各羽根移動機構２２５，２２６を制御する。ここで、Ｘ線絞り器２２の回動により、不要被曝回避の機能が作用しないと、図８に示すように、回動した入射範囲２２ｂ１の４つの角部が検出範囲３１ａから外れてＸ線検出器３１でＸ線の検出が不可能な不要被曝領域が生じるため、一次防護の規格を満たすことができない問題が生じる。この問題を避けるために、各絞り羽根２２１，２２２をＬ４方向に移動させると共に各絞り羽根２２３，２２４をＬ６方向に移動させて、被検体Ｐに対して照射するＸ線の照射範囲を縮小してＸ線検出器３１でＸ線の検出が可能な範囲内に設定する（図５のステップＳ５）。
【００５０】
図９は、ホームポジションから回動したＸ線絞り器２２とＸ線管２１の間から見た各絞り羽根２２１乃至２２４、検出範囲３１ａ、及び入射範囲を示した図である。この入射範囲２２ｂ２は、Ｘ線絞り器２２の回動によりＲ２方向へ角度θ回動した図６の入射範囲２２ｂ１を縮小して検出範囲３１ａ内の最大の範囲に設定したものである。この入射範囲２２ｂ２は、各絞り羽根２２１乃至２２４の移動により縮小した照射口２２ａ２に相似している。
【００５１】
Ｘ線絞り制御部２４は、検出範囲３１ａの縦の長さＬＥ及び横の長さＷ、並びに角度検出器２３から出力された角度θから、検出範囲３１ａに対応する第１の長方形に内接した入射範囲２２ｂ２に対応する第３の長方形の縦の長さＸ２及び横の長さＹ２を算出する。次いで、距離Ｄ１及び距離Ｄ２、並びに算出した第３の長方形の縦の長さＸ２及び横の長さＹ２から、その第３の長方形に相似した照射口２２ａ２に対応する第２の長方形の縦の長さＸ３及び横の長さＹ３を算出する。そして、照射口２２ａ２が算出した縦の長さＸ３及び横の長さＹ３になるように各絞り羽根２２１，２２２をＬ４方向に移動させると共に各絞り羽根２２３，２２４をＬ６方向に移動させる。そして、被検体Ｐに対して照射するＸ線の照射範囲をＸ線検出器３１でＸ線の検出が可能な範囲の内の最大の範囲に設定する。
【００５２】
ここで、第１の長方形が例えば４つの辺の長さが等しい第１の正方形であると、第３の長方形は第１の正方形に内接する第３の正方形となる。そして、第１の正方形の一辺を長さＸとすると、第３の正方形の一辺は長さＹ＝Ｘ／（ｓｉｎθ＋ｃｏｓθ）で表される。従って、第２の長方形は第３の正方形に相似する第２の正方形となる。そして、第２の正方形の一辺は長さＺ＝Ｘ＊Ｄ２／{（ｓｉｎθ＋ｃｏｓθ）＊（Ｄ１＋Ｄ２）}で表すことができる。
【００５３】
このように、絞りＸ線器２２を回動したときのＸ線の照射範囲がＸ線検出器３１でＸ線の検出が不可能な範囲を含んでいる場合、角度検出器２３から出力される角度の情報に基づいて、その照射範囲を縮小してＸ線検出器３１でＸ線の検出が可能な範囲内に設定することができる。これにより、被検体Ｐへの不要な被曝を低減して一次防護の規格を満たすことができる。
【００５４】
また、被検体Ｐに対するＸ線の照射範囲をＸ線検出器３１でＸ線の検出が可能な範囲の内の最大の範囲に設定することにより、被検体Ｐを広範囲に亘って観察することができる。
【００５５】
Ｘ線絞り器２２をホームポジションから回動した後、被検体Ｐの片腕部以外のＸ線撮影に不要な部分へのＸ線の照射を低減するために、表示部７０に表示された透視画像データを見ながら、被検体Ｐの片腕部の幅方向における照射口２２ａ２を絞る操作である、図９に示した各絞り羽根２２３，２２４をＬ６方向に移動させる操作が操作部８０から行われると、羽根移動機構２２６は、Ｘ線絞り制御部２４の制御により、一方の各絞り羽根２２３，２２４をＬ６方向に移動する（図５のステップＳ６）。
【００５６】
また、Ｘ線絞り制御部２４は、各絞り羽根２２３，２２４の移動に応じて羽根移動機構２２５を制御する。ここで、Ｘ線絞り器２２の回動により縮小された被検体Ｐの片腕部の長手方向における範囲を拡大するために、一方の各絞り羽根２２３，２２４のＬ６方向への移動に応じて、他方の各絞り羽根２２１，２２２をＬ５方向に移動させて、被検体Ｐに照射するＸ線の照射範囲をＸ線検出器３１でＸ線の検出が可能な範囲の内の最大の範囲に設定する（図５のステップＳ７）。
【００５７】
図１０は、各絞り羽根２２３，２２４をＬ６方向に移動したときのＸ線絞り器２２とＸ線管２１の間から見た各絞り羽根２２１乃至２２４、検出範囲３１ａ、及び入射範囲を示した図である。この入射範囲２２ｂ３は、図９に示した入射範囲２２ｂ２が各絞り羽根２２３，２２４のＬ６方向への移動に応じて各絞り羽根２２１，２２２のＬ５方向へ移動することにより、検出範囲３１ａ内の最大の範囲に設定したものである。そして、入射範囲２２ｂ３は、移動した各絞り羽根２２１乃至２２４により形成される照射口２２ａ３に相似している。
【００５８】
Ｘ線絞り制御部２４は、距離Ｄ１及び距離Ｄ２、並びに照射口２２ａ３の横の長さＹ４から、入射範囲２２ｂ３に対応する第３の長方形の横の長さＹ５を算出する。次いで、検出範囲３１ａの縦の長さＬＥ及び横の長さＷ、並びに角度検出器２３から出力された角度θから、検出範囲３１ａに対応する第１の長方形に内接した第３の長方形の縦の長さＸ４を算出する。更に、距離Ｄ１及び距離Ｄ２、並びに算出した第３の長方形の縦の長さＸ４から、第３の長方形に相似する第２の長方形の縦の長さＸ５を算出する。そして、各絞り羽根２２３，２２４のＬ６方向への移動に応じて、算出した照射口２２ａ３が縦の長さＸ５になるように各絞り羽根２２１，２２２をＬ５方向に移動させる。そして、被検体Ｐに対して照射するＸ線の照射範囲をＸ線検出器３１でＸ線の検出が可能な範囲の内の最大の範囲に設定する。
【００５９】
このように、操作部８０からのＸ線絞り器２２の照射口２２ａ２の一方を絞る操作に応じて照射口２２ａ２の他方を開いて、Ｘ線の照射範囲をＸ線検出器３１でＸ線の検出が可能な範囲の内の最大の範囲に設定することができる。これにより、被検体Ｐに不要な被曝を低減して一次防護の規格を満たすと共に、被検体Ｐを広範囲に亘って観察することができる。
【００６０】
なお、照射口２２ａ２の一方を開く操作に応じて照射口２２ａ２の他方を絞って、Ｘ線の照射範囲をＸ線検出器３１でＸ線の検出が可能な範囲の内の最大の範囲に設定することができる。これにより、被検体Ｐに不要な被曝を低減して一次防護の規格を満たすと共に、被検体Ｐを広範囲に亘って観察することができる。
【００６１】
次に、操作部８０からのＸ線撮影操作により、システム制御部９０は内部記憶回路に保存した撮影条件に基づいてＸ線撮影を行う。
【００６２】
先ず、高電圧発生部４０にＸ線撮影用の電圧をＸ線管２１に供給させる。Ｘ線管２１は、Ｘ線絞り器２２を介して、被検体ＰにＸ線撮影用のＸ線を照射する。
【００６３】
Ｘ線検出部３０は、被検体Ｐを透過したＸ線撮影用のＸ線を検出してＸ線投影データを生成し、生成したＸ線投影データを画像処理部６０に出力する。画像処理部６０は、Ｘ線検出部３０から出力されたＸ線投影データを処理して撮影画像データを生成する。そして、生成した撮影画像データを保存すると共に表示部７０に出力する。表示部７０は、画像処理部６０から出力された撮影画像データを表示する。
【００６４】
そして、操作部８０からの検査終了の操作により、システム制御部９０がＸ線照射部２０、Ｘ線検出部３０、高電圧発生部４０、機構部５０、及び画像処理部６０の動作を停止させた時点で、Ｘ線画像診断装置１００は、被検体Ｐの検査を終了する（図５のステップＳ８）。
【００６５】
以上述べた本発明の実施例によれば、照射口２２ａを開いたときの操作により、被検体Ｐに対して照射しようとするＸ線の照射範囲がＸ線検出器３１でＸ線の検出が不可能な範囲を含んでいる場合、角度検出器２３からの角度の情報に基づいて、その照射範囲をＸ線検出器３１でＸ線の検出が可能な範囲内に設定することができる。
【００６６】
また、絞りＸ線器２２を回動したときのＸ線の照射範囲がＸ線検出器３１でＸ線の検出が不可能な範囲を含んでいる場合、角度検出器２３からの角度の情報に基づいて、その照射範囲を縮小してＸ線検出器３１でＸ線の検出が可能な範囲内に設定することができる。
【００６７】
更に、角度検出器２３からの角度の情報に基づいて、照射口２２ａ２の一方を絞る操作に応じて照射口２２ａ２の他方を開いて、Ｘ線の照射範囲をＸ線検出器３１でＸ線の検出が可能な範囲の内の最大の範囲に設定することができる。また、角度検出器２３からの角度の情報に基づいて、照射口２２ａ２の一方を開く操作に応じて照射口２２ａ２の他方を絞って、被検体Ｐに対して照射するＸ線の照射範囲をＸ線検出器３１でＸ線の検出が可能な範囲の内の最大の範囲に設定することができる。
【００６８】
これにより、回動機構を大型化することなく安価で簡単な機構にすることが可能となり、被検体Ｐへの不要な被曝を低減して一次防護の規格を満たすことができる。また、前記照射範囲をＸ線検出器３１でＸ線の検出が可能な範囲の内の最大の範囲に設定することにより、被検体Ｐを広範囲に亘って観察することができる。
【００６９】
なお、本発明は上記実施例に限定されるものではなく、Ｘ線検出器３１を回動可能にすると共にＸ線絞り器２２に対するＸ線検出器３１の角度を検出する角度検出器を設けることにより、その角度検出器からの角度の情報に基づいて、実施例と同様に、被検体Ｐに対して照射するＸ線の照射範囲をＸ線検出器３１でＸ線の検出が可能な範囲内に設定するように実施してもよい。これにより、回動機構を大型化することなく安価で簡単な機構にすることが可能となり、被検体Ｐへの不要な被曝を低減して一次防護の規格を満たすことができる。
【００７０】
また、前記照射範囲をＸ線検出器３１でＸ線の検出が可能な範囲の内の最大の範囲に設定するように実施してもよい。これにより、被検体Ｐを広範囲に亘って観察することができる。
【図面の簡単な説明】
【００７１】
【図１】本発明の実施例によるＸ線画像診断装置の実施例の構成を示すブロック図。
【図２】本発明の実施例に係る天板の移動方向、アームの移動方向及び回動方向、及びＸ線絞り器の回動方向を示す図。
【図３】本発明の実施例に係るＸ線絞り器の構成の詳細を示す図。
【図４】本発明の実施例に係る照射口と入射範囲の関係を説明するための図。
【図５】本発明の実施例に係るＸ線画像診断装置の動作を示すフローチャート。
【図６】本発明の実施例に係るホームポジションに位置する絞りＸ線器とＸ線管の間から見た各絞り羽根、検出範囲、及び入射範囲を示す図。
【図７】本発明の実施例に係る表示部の画面に表示された透視画像データの一例を示す図。
【図８】本発明の実施例に係る不要被曝の領域を示す図。
【図９】本発明の実施例に係るホームポジションから回動したＸ線絞り器とＸ線管の間から見た各絞り羽根、検出範囲、及び入射範囲を示す図。
【図１０】本発明の実施例に係る各絞り羽根をＬ６方向に移動したときのＸ線絞り器とＸ線管の間から見た各絞り羽根、検出範囲、及び入射範囲を示す図。
【符号の説明】
【００７２】
Ｐ  被検体
１２  照射中心軸
２０  Ｘ線照射部
２１  Ｘ線管
２２  Ｘ線絞り器
２２ａ  照射口
２３  角度検出器
２４  Ｘ線絞り制御部
３０  Ｘ線検出部
３１  Ｘ線検出器
３１ａ  検出範囲
３２  信号処理部
２２１,２２２，２２３，２２４  絞り羽根
２２５，２２６  羽根移動機構
【図１】
2010051727.tif 000003
【図２】
2010051727.tif 000004
【図３】
2010051727.tif 000005
【図４】
2010051727.tif 000006
【図５】
2010051727.tif 000007
【図６】
2010051727.tif 000008
【図７】
2010051727.tif 000009
【図８】
2010051727.tif 000010
【図９】
2010051727.tif 000011
【図１０】
2010051727.tif 000012